(57)【要約】      （修正有）【解決手段】長手方向中央部２ａで二つ折り状に折曲可能な外部材２及び長手方向両辺縁部３ａが外部材の両折曲面部２ｂにそれぞれ止着され、外部材を長手方向中央部を角部としてＬ形状に展開保形すると共に外部材の内向き折曲に連れて長手方向中央部３ｂで二つ折り状に折曲可能な内部材３からなる本体部材１と、長尺板状にして平板状から略三角筒状に折曲可能に形成され、本体部材の外部材と内部材とにより形成された略三角筒穴部内Ｋに挿脱配置可能な中子部材４とからなる。【効果】本体部材の略三角筒穴部内に中子部材を挿通配置することにより機械的強度の高い骨組構造材を得ることができ、本体部材の継合にあっては、本体部材の長さより長い中子部材を用意し、本体部材に中子部材を挿通したとき本体部材の端部から突出している中子部材に他の本体部材の略三角筒穴部を挿通することにより継合することができる。【選択図】図８
2006144500.tif 000002
【特許請求の範囲】
【請求項１】
長尺板材にして長手方向中央部で二つ折り状に折曲可能な外部材及び長尺板材にして長手方向両辺縁部が該外部材の両折曲面部にそれぞれ止着され、該外部材を長手方向中央部を角部としてＬ形状に展開保形すると共に該外部材の内向き折曲に連れて該長手方向中央部で二つ折り状に折曲可能な内部材からなる本体部材と、長尺板状にして平板状から略三角筒状に折曲可能に形成され、該本体部材の外部材と該内部材とにより形成された略三角筒穴部内に挿脱配置可能な中子部材とからなることを特徴とする骨組構造材。
【請求項２】
上記外部材の長手方向中央部に折曲成型部を形成してなることを特徴とする請求項１記載の骨組構造材。
【請求項３】
上記内部材の該長手方向中央部に折曲成型部を形成すると共に該内部材の該外部材の両折曲面部との止着部分にそれぞれ折曲成型部を形成してなることを特徴とする請求項１又は２記載の骨組構造材。
【請求項４】
上記中子部材の長手方向両側部に二個の折曲成型部を形成してなることを特徴とする請求項１〜３のいずれか１項に記載の骨組構造材。
【請求項５】
上記外部材の両折曲面部に折返部を形成し、該両折返部に上記内部材の両辺縁部を挟装し、該折返部及び両辺縁部を止着部材により止着してなることを特徴とする請求項１〜４のいずれか１項に記載の骨組構造材。
【請求項６】
上記止着部材はハトメであることを特徴とする請求項５記載の骨組構造材。
【請求項７】
上記本体部材及び中子部材は紙材からなることを特徴とする請求項１〜６のいずれか１項に記載の骨組構造材。
【請求項８】
請求項１〜７のいずれか１項に記載の骨組構造材を用いてなることを特徴とする構築物。
【発明の詳細な説明】
【技術分野】
【０００１】
本発明は例えば災害時における緊急用簡易更衣室等の構築に用いられる骨組構造材及びそれを用いた構築物に関するものである。
【背景技術】
【０００２】
従来、この種の構築物の柱材、梁等の骨組構造材として、鉄鋼材、アルミ材、木材からなる構造のものが知られている。
【特許文献１】特開平６−２００６７３号公報
【発明の開示】
【発明が解決しようとする課題】
【０００３】
しかしながら上記従来構造の場合、重量化し易く、嵩張り易く、運搬及び不使用時の保管に不便であり、簡易建物等の骨組構造材として不向きであるという不都合を有している。
【課題を解決するための手段】
【０００４】
本発明はこれらの不都合を解決することを目的とするもので、本発明のうちで、請求項１記載の発明は、長尺板材にして長手方向中央部で二つ折り状に折曲可能な外部材及び長尺板材にして長手方向両辺縁部が該外部材の両折曲面部にそれぞれ止着され、該外部材を長手方向中央部を角部としてＬ形状に展開保形すると共に該外部材の内向き折曲に連れて該長手方向中央部で二つ折り状に折曲可能な内部材からなる本体部材と、長尺板状にして平板状から略三角筒状に折曲可能に形成され、該本体部材の外部材と該内部材とにより形成された略三角筒穴部内に挿脱配置可能な中子部材とからなることを特徴とする骨組構造材にある。
【０００５】
又、請求項２記載の発明は、上記外部材の長手方向中央部に折曲成型部を形成してなることを特徴とするものであり、又、請求項３記載の発明は、上記内部材の該長手方向中央部に折曲成型部を形成すると共に該内部材の該外部材の両折曲面部との止着部分にそれぞれ折曲成型部を形成してなることを特徴とするものであり、又、請求項４記載の発明は、上記中子部材の長手方向両側部に二個の折曲成型部を形成してなることを特徴とするものである。
【０００６】
又、請求項５記載の発明は、上記外部材の両折曲面部に折返部を形成し、該両折返部に上記内部材の両辺縁部を挟装し、該折返部及び両辺縁部を止着部材により止着してなることを特徴とするものであり、又、請求項６記載の発明にあっては、上記止着部材はハトメであることを特徴とするものであり、又、請求項７記載の発明は、上記本体部材及び中子部材は紙材からなることを特徴とするものである。
【０００７】
又、請求項８記載の発明は、上記請求項１〜７のいずれか１項に記載の骨組構造材を用いてなることを特徴とする構築物にある。
【発明の効果】
【０００８】
本発明は上述の如く、請求項１記載又は８記載の発明にあっては、本体部材の略三角筒穴部内に中子部材を挿通配置することにより機械的強度の高い骨組構造材を得ることができ、本体部材の継合にあっては、本体部材の長さより長い中子部材を用意し、本体部材に中子部材を挿通したとき本体部材の端部から突出している中子部材に他の本体部材の略三角筒穴部を挿通することにより継合することができ、又、不使用時においては、本体部材の略三角筒穴部から中子部材を抜脱し、本体部材を折曲し、外部材の折曲に連れて内部材も折曲され、嵩張らずに折り畳むことができると共に中子部材を平板状に展開したり、内側に折り畳むことができ、嵩張ることなく、収納保管することができ、運搬に便利であり、使用の融通性を高めることができる。
【０００９】
又、請求項２記載の発明にあっては、上記外部材の長手方向中央部に折曲成型部を形成してなるから、外部材の折曲展開を容易に行うことができ、又、請求項３記載の発明にあっては、上記内部材の長手方向中央部に折曲成型部を形成すると共に内部材の外部材の両折曲面部との止着部分にそれぞれ折曲成型部を形成してなるから、内部材の折曲展開を容易に行うことができ、又、請求項４記載の発明にあっては、上記中子部材の長手方向両側部に二個の折曲成型部を形成しているから、中子部材の折曲展開を容易に行うことができる。
【００１０】
又、請求項５記載の発明にあっては、上記外部材の両折曲面部に折返部を形成し、両折返部に上記内部材の両辺縁部を挟装し、折返部及び両辺縁部を止着部材により止着してなるから、本体部材の強度を高めることができ、又、請求項６記載の発明にあっては、上記止着部材はハトメであるから、例えば、戸、側板、天板を骨組構造材に紐材等により縛着するに際し、このハトメの穴を紐通し穴として使用することができる。
【００１１】
又、請求項７記載の発明にあっては、上記本体部材及び中子部材は紙材からなるので、軽量化を図ることができると共に再資源利用化を容易に行うことができる。
【発明を実施するための最良の形態】
【００１２】
図１乃至図１０は本発明の実施の形態例を示し、１は本体部材であって、紙材からなる長尺板材にして長手方向中央部２ａで二つ折り状に折曲可能な外部材２及び紙材からなる長尺板材にして長手方向両辺縁部３ａ・３ａが外部材２の両折曲面部２ｂ・２ｂにそれぞれ止着され、外部材２を長手方向中央部２ａを角部としてＬ形状に展開保形すると共に外部材２の内向き折曲に連れて長手方向中央部３ｂで二つ折り状に折曲可能な内部材３からなる。
【００１３】
４は中子部材であって、紙材からなる長尺板状にして平板状から略三角筒状に折曲可能に形成され、本体部材１の外部材２と内部材３とにより形成された略三角筒穴部Ｋ内に挿脱配置可能に形成され、本体部材１と中子部材４とにより骨組構造材Ｗが形成されることになる。
【００１４】
この場合、上記外部材２の長手方向中央部２ａに折曲成型部Ｍが形成され、かつ、上記内部材３の長手方向中央部３ｂに折曲成型部Ｎを形成すると共に内部材３の外部材２の両折曲面部２ｂ・２ｂとの止着部分にそれぞれ折曲成型部Ｐを形成し、更に、上記中子部材４の長手方向両側部４ａに二個の折曲成型部Ｑをそれぞれ形成している。
【００１５】
又、この場合、上記外部材２の両折曲面部２ｂ・２ｂに折返部２ｃ・２ｃを形成し、両折返部２ｃ・２ｃに上記内部材３の両辺縁部３ａ・３ａを挟装し、折返部２ｃ・２ｃ及び長手方向両辺縁部３ａ・３ａを複数個の止着部材５、この場合、ハトメ５ａにより止着している。尚、止着部材５はハトメ５ａに限らず、接着剤や鋲を用いることもできる。
【００１６】
この実施の形態例は上記構成であるから、たとえば、図７の如く、戸Ｆ、側板Ｄ、天板Ｅからなる簡易更衣室である構築物Ｓの柱材として、骨組構造材Ｗを使用する場合、図１、図４に示す如く、本体部材１及び中子部材４を所定長さに切断形成し、図８の如く、本体部材１の略三角筒穴部Ｋ内に中子部材４を挿通配置することにより機械的強度の高い骨組構造材Ｗを得ることができ、本体部材１・１の継合にあっては、図９、図１０の如く、本体部材１の長さより長い中子部材４を用意し、本体部材１に中子部材４を挿通したとき本体部材１の端部から突出している中子部材４に他の本体部材１の略三角筒穴部Ｋを挿通することにより継合することができ、又、不使用時においては、本体部材１の略三角筒穴部Ｋから中子部材４を抜脱し、図３の如く、本体部材１を折曲し、外部材２の折曲に連れて内部材３も折曲され、嵩張らずに折り畳むことができると共に図６の如く、中子部材４を平板状に展開したり、内側に折り畳むことができ、嵩張ることなく、収納保管することができ、運搬に便利であり、使用の融通性を高めることができる。
【００１７】
又、この場合、上記外部材３の長手方向中央部２ａに折曲成型部Ｍを形成してなるから、外部材２の折曲展開を容易に行うことができ、又、この場合、上記内部材３の長手方向中央部３ｂに折曲成型部Ｎを形成すると共に内部材３の外部材２の両折曲面部２ｂ・２ｂとの止着部分にそれぞれ折曲成型部Ｐを形成してなるから、内部材３の折曲展開を容易に行うことができ、又、この場合、上記中子部材４の長手方向両側部４ａに二個の折曲成型部Ｑを形成しているから、中子部材４の折曲展開を容易に行うことができる。
【００１８】
又、この場合、上記外部材２の両折曲面部２ｂ・２ｂに折返部２ｃ・２ｃを形成し、両折返部２ｃ・２ｃに上記内部材３の両辺縁部３ａ・３ａを挟装し、折返部２ｃ・２ｃ及び両辺縁部３ａ・３ａを止着部材５により止着してなるから、本体部材１の強度を高めることができ、又、この場合、上記止着部材５はハトメ５ａであるから、例えば、戸Ｆ、側板Ｄ、天板Ｅを骨組構造材Ｗに紐材等により縛着するに際し、このハトメ５ａの穴を紐通し穴として使用することができる。
【００１９】
又、この場合、上記本体部材１及び中子部材４は紙材からなるので、軽量化を図ることができると共に再資源利用化を容易に行うことができる。
【００２０】
尚、本発明は上記実施の形態例に限られるものではなく、本体部材１、中子部材４，止着部材５の構造や形態等は適宜変更して設計される。
【００２１】
以上、所期の目的を充分達成することができる。
【図面の簡単な説明】
【００２２】
【図１】本発明の実施の形態例の本体部材の斜視図である。
【図２】本発明の実施の形態例の本体部材の展開状態の横断面図である。
【図３】本発明の実施の形態例の本体部材の折畳状態の横断面図である。
【図４】本発明の実施の形態例の中子部材の使用状態の斜視図である。
【図５】本発明の実施の形態例の中子部材の横断面図である。
【図６】本発明の実施の形態例の中子部材の展開状態の横断面図である。
【図７】本発明の実施の形態例の構築物の斜視図である。
【図８】本発明の実施の形態例の構築物の柱材の平断面図である。
【図９】本発明の実施の形態例の構築物の組立状態斜視図である。
【図１０】本発明の実施の形態例の柱材の部分平断面斜視図である。
【符号の説明】
【００２３】
Ｋ    略三角筒穴部
Ｍ    折曲成型部
Ｎ    折曲成型部
Ｐ    折曲成型部
Ｑ    折曲成型部
Ｗ    骨組構造材
Ｓ    構築物
１    本体部材
２    外部材
３    内部材
４    中子部材
５    止着部材
５ａ    ハトメリベット
【図１】
2006144500.tif 000003
【図２】
2006144500.tif 000004
【図３】
2006144500.tif 000005
【図４】
2006144500.tif 000006
【図５】
2006144500.tif 000007
【図６】
2006144500.tif 000008
【図７】
2006144500.tif 000009
【図８】
2006144500.tif 000010
【図９】
2006144500.tif 000011
【図１０】
2006144500.tif 000012